(57)【要約】      （修正有）【課題】使用可能チャンネル数を減少させることなく、良好な通信品質を維持することができる通信装置および通信システムを提供する。【解決手段】使用可能な全チャンネル（Ｎ個）の各々について、ＢＥＲを検出し、そのＢＥＲが基準値以上の周波数チャンネルを使用する場合には、マルチ送受信フラグをオンにして、同じデータを２回送受信し、ＢＥＲが基準値未満の周波数チャンネルを使用する場合には、マルチ送受信フラグをオフにし、同じデータを１回だけ送受信する。【選択図】図４
2008219193.tif 000002
【特許請求の範囲】
【請求項１】
所定の周波数領域帯に含まれる複数の周波数チャンネルの中から所定時間毎に異なる周波数チャンネルを使用して第１の相手側装置と無線通信する第１の通信手段を備えた通信装置において、
前記第１の相手側装置との通信品質を評価するためのパラメータを前記複数の周波数チャンネルの各々について検出する検出手段と、
その検出手段によって検出される各周波数チャンネル毎のパラメータに基づいて各周波数チャンネル毎の通信品質が所定の基準を満足するかを判断する判断手段と、
その判断手段によって所定の基準を満足すると判断された周波数チャンネルを使用する場合には前記第１の通信手段によって前記第１の相手側装置にデータを１回送信し、前記判断手段によって所定の基準を満足しないと判断された周波数チャンネルを使用する場合には前記第１の通信手段によって前記第１の相手側装置にデータを複数回繰り返して送信する通信制御手段とを備えていることを特徴とする通信装置。
【請求項２】
前記判断手段によって所定の基準を満足すると判断された周波数チャンネルを使用する場合には前記第１の相手側装置から自装置にデータを１回送信させること、及び、前記判断手段によって所定の基準を満足しないと判断された周波数チャンネルを使用する場合には前記第１の相手側装置から自装置にデータを複数回繰り返して送信させることを前記第１の通信手段を介して前記第１の相手側装置に要求する要求手段を備えていることを特徴とする請求項１に記載の通信装置。
【請求項３】
前記所定の基準よりも劣る通信品質は少なくとも２以上のランクにランク分けされており、
前記判断手段は、前記所定の基準を満足しない周波数チャンネルが、いずれのランクに属するかを判断し、
前記通信制御手段は、通信品質が劣るランクに属する周波数チャンネルを使用する程、前記第１の相手側装置にデータを多く繰り返して送信することを特徴とする請求項１又は２に記載の通信装置。
【請求項４】
前記検出手段は、前記パラメータとして、前記第１の相手側装置から送信されるデータの符合誤り率を検出することを特徴とする請求項１から３のいずれかに記載の通信装置。
【請求項５】
前記所定の周波数領域帯に含まれる周波数チャンネルを使用して第２の相手側装置と無線通信する第２の通信手段を備えていることを特徴とする請求項１から４のいずれかに記載の通信装置。
【請求項６】
請求項１から５のいずれかに記載の通信装置は前記第１の相手側装置との間で音声データを通信するものであり、
請求項１から５のいずれかに記載の通信装置としての親機または子機と、
その親機または子機と無線通信する前記第１の相手側装置としての子機または親機とを備えていることを特徴とする通信システム。
【発明の詳細な説明】
【技術分野】
【０００１】
本発明は、通信装置および通信システムに関し、特に、使用可能チャンネル数を減少させることなく、良好な通信品質を維持することができる通信装置および通信システムに関するものである。
【背景技術】
【０００２】
従来より、通信方式の一つとしての周波数ホッピング方式により相手側装置と無線通信可能な通信装置が知られている。この周波数ホッピング方式は、ある一定の周期で搬送波の周波数を切り替え（ホッピングして）、通信を行う方式のものであり、送信側だけでなく、受信側もまったく同様に周波数（チャネル）を変更することで正しく通信が行われている。
【０００３】
具体的に、この周波数ホッピング方式では、２，４ＧＨｚ帯の広帯域（２４０２〜２４８０ＭＨｚ）の中に１ＭＨｚごと，７９個のチャネルを設定しており，１秒間に１００回（コードレス電話）のチャネル切替を行いながら通信が行われているが、通信中に同じ周波数を使う電波と重複した場合には、その通信に不具合が発生するという問題点があった。
【０００４】
そこで、次の特許文献１には、周波数チャンネルそれぞれのデータ誤り率を検出し、データ誤り率が閾値より高い周波数チャンネルは干渉チャンネルとして、その使用を自動的に中止することで、通信に不具合が発生するのを回避する技術が開示されている。
【特許文献１】特開２００２−１９８８６７号公報（段落第「０００８」等）
【発明の開示】
【発明が解決しようとする課題】
【０００５】
しかしながら、上述した特許文献１に記載される技術では、自動的に誤り率の高い周波数チャンネルの使用を中止するので、閾値の設定具合によっては、使用可能なチャンネル数が減少するという問題点があった。
【０００６】
本発明は、上述した問題点を解決するためになされたものであり、使用可能チャンネル数を減少させることなく、良好な通信品質を維持することができる通信装置及び通信システムを提供することを目的とする。
【課題を解決するための手段】
【０００７】
この目的を達成するために、請求項１記載の通信装置は、所定の周波数領域帯に含まれる複数の周波数チャンネルの中から所定時間毎に異なる周波数チャンネルを使用して第１の相手側装置と無線通信する第１の通信手段を備えたものであって、前記第１の相手側装置との通信品質を評価するためのパラメータを前記複数の周波数チャンネルの各々について検出する検出手段と、その検出手段によって検出される各周波数チャンネル毎のパラメータに基づいて各周波数チャンネル毎の通信品質が所定の基準を満足するかを判断する判断手段と、その判断手段によって所定の基準を満足すると判断された周波数チャンネルを使用する場合には前記第１の通信手段によって前記第１の相手側装置にデータを１回送信し、前記判断手段によって所定の基準を満足しないと判断された周波数チャンネルを使用する場合には前記第１の通信手段によって前記第１の相手側装置にデータを複数回繰り返して送信する通信制御手段とを備えている。
【０００８】
請求項２記載の通信装置は、請求項１記載の通信装置において、前記判断手段によって所定の基準を満足すると判断された周波数チャンネルを使用する場合には前記第１の相手側装置から自装置にデータを１回送信させること、及び、前記判断手段によって所定の基準を満足しないと判断された周波数チャンネルを使用する場合には前記第１の相手側装置から自装置にデータを複数回繰り返して送信させることを前記第１の通信手段を介して前記第１の相手側装置に要求する要求手段を備えている。
【０００９】
請求項３記載の通信装置は、請求項１又は２に記載の通信装置において、前記所定の基準よりも劣る通信品質は少なくとも２以上のランクにランク分けされており、前記判断手段は、前記所定の基準を満足しない周波数チャンネルが、いずれのランクに属するかを判断し、前記通信制御手段は、通信品質が劣るランクに属する周波数チャンネルを使用する程、前記第１の相手側装置にデータを多く繰り返して送信する。
【００１０】
請求項４記載の通信装置は、請求項１から３のいずれかに記載の通信装置において、前記検出手段は、前記パラメータとして、前記第１の相手側装置から送信されるデータの符合誤り率を検出する。
【００１１】
請求項５記載の通信装置は、請求項１から４のいずれかに記載の通信装置において、前記所定の周波数領域帯に含まれる周波数チャンネルを使用して第２の相手側装置と無線通信する第２の通信手段を備えている。
【００１２】
請求項６記載の通信システムは、請求項１から５のいずれかに記載の通信装置は前記第１の相手側装置との間で音声データを通信するものであり、請求項１から５のいずれかに記載の通信装置としての親機または子機と、その親機または子機と無線通信する前記第１の相手側装置としての子機または親機とを備えている。
【発明の効果】
【００１３】
請求項１記載の通信装置によれば、所定の周波数領域帯に含まれる複数の周波数チャンネルの中から所定時間毎に異なる周波数チャンネルを使用して第１の相手側装置と無線通信する場合には、第１の相手側装置との通信品質を評価するためのパラメータが複数の周波数チャンネルの各々について検出され、その検出される各周波数チャンネル毎のパラメータに基づいて各周波数チャンネル毎の通信品質が所定の基準を満足するかが判断される。そして、その結果、所定の基準を満足すると判断された周波数チャンネルを使用する場合には、第１の相手側装置にデータが１回送信され、所定の基準を満足しないと判断された周波数チャンネルを使用する場合には、第１の相手側装置にデータが複数回繰り返して送信される。よって、使用可能チャンネル数を減少させることなく、良好な通信品質を維持することができるという効果がある。即ち、所定の基準を満足しないと判断された周波数チャンネルの使用を中止するのではなく、データを複数回繰り返して送信するので、使用可能チャンネル数は減少せず、使用を中止することで、他の電波との干渉が発生する可能性が高くなるという弊害が発生するのを抑制することができ、複数回繰り返して送信したデータによって良好な通信品質を維持することができるという効果がある。
【００１４】
請求項２記載の通信装置によれば、請求項１記載の通信装置の奏する効果に加えて、所定の基準を満足すると判断された周波数チャンネルを使用する場合には第１の相手側装置から自装置にデータを１回送信させること、及び、所定の基準を満足しないと判断された周波数チャンネルを使用する場合には第１の相手側装置から自装置にデータを複数回繰り返して送信させることを第１の相手側装置に要求するので、自装置と、第１の相手側装置との両方において、使用可能チャンネル数を減少させることなく、良好な通信品質を維持することができるという効果がある
請求項３記載の通信装置によれば、請求項１又は２に記載の通信装置の奏する効果に加えて、所定の基準よりも劣る通信品質は少なくとも２以上のランクにランク分けされており、所定の基準を満足しない周波数チャンネルは、いずれのランクに属するかが判断され、通信品質が劣るランクに属する周波数チャンネルを使用する程、データは第１の相手側装置に多く繰り返して送信される。よって、たとえ、通信品質が劣るランクに属する周波数チャンネルを使用する場合であっても、良好な通信品質を維持することができるという効果がある。
【００１５】
請求項４記載の通信装置によれば、請求項１から３のいずれかに記載の通信装置の奏する効果に加えて、前記パラメータとして、第１の相手側装置から送信されるデータの符合誤り率を検出するので、各周波数チャンネル毎の通信品質を簡単に検出することができるという効果がある。
【００１６】
請求項５記載の通信装置によれば、請求項１から４のいずれかに記載の通信装置の奏する効果に加えて、前記所定の周波数領域帯に含まれる周波数チャンネルを使用して第２の相手側装置と無線通信する第２の通信手段を備えているので、たとえ、第１の通信手段と、第２の通信手段との間で、使用する周波数チャンネルが重複する場合があったとしても、両者の通信品質を良好に維持することができ、第１の相手側装置に加え、第２の相手側装置とも無線通信することができるという効果がある。
【００１７】
請求項６記載の通信装置システムによれば、請求項１から５のいずれかに記載の通信装置は前記第１の相手側装置との間で音声データを通信するものであり、請求項１から５のいずれかに記載の通信装置としての親機または子機と、その親機または子機と無線通信する前記第１の相手側装置としての子機または親機とを備えているので、請求項１から５のいずれかに記載の通信装置と同じ効果を奏することができる。
【発明を実施するための最良の形態】
【００１８】
以下、本発明の好ましい実施形態について、添付図面を参照して説明する。まず、図１及び図２を参照して、本発明における一実施形態の通信装置を含む多機能周辺装置（以下、「ＭＦＰ（Ｍｕｌｔｉ  Ｆｕｎｃｔｉｏｎ  Ｐｅｒｉｐｈｅｒａｌ）」と称する）１について説明する。図１は、ＭＦＰ１の外観図である。
【００１９】
図１に示すＭＦＰ１は、通話機能、ファクシミリ機能、プリンタ機能、スキャナ機能、及び、コピー機能などの各種の機能を有する装置である。本実施形態において、ＭＦＰ１は、主に、子機３１（図３参照）、又は電話回線網１００（図３参照）を介した外部装置（図示せず）と通話を行うためのデジタルコードレス電話の親機とされている。また、ＭＦＰ１は、無線ＬＡＮの規格に基づいた無線通信によりアクセスポイント５１（図３参照）とデータ通信可能な通信装置でもある。
【００２０】
図１に示すように、ＭＦＰ１は、上面開放の略箱状の本体ケース２と、この本体ケース２の一側（図１における左側）に対して、蝶番、ヒンジ部等の回動軸線部（図示せず）を介して上下回動可能に枢着された上部ケース３とを有する。本体ケース２及び上部ケース３は合成樹脂製の射出成形品である。
【００２１】
上部ケース３の正面側（図１における手前側）には操作パネル３０が配置されている。操作パネル３０には数字ボタンやスタートボタン、機能操作ボタン等から構成される操作部１５が設けられている。ユーザはこの操作部１５を操作し、ＭＦＰ１の電源のオン／オフや、各機能の切り替えや、各種動作の指示を行うことができる。
【００２２】
操作パネル３０には液晶（ＬＣＤ：Ｌｉｑｕｉｄ  Ｃｒｙｓｔａｌ  Ｄｉｓｐｌａｙ）等の表示部１６が設けられている。この表示部１６には、操作部１５の操作に応じてメニューや動作状態などが表示される。ユーザは、操作部１５を操作することにより、その操作に対応する情報を表示部１６へ表示させ、ＭＦＰ１とアクセスポイント５１（図３参照）との通信状態や、ＭＦＰ１と子機３１（図３参照）との通信状態などの各種情報を確認することができる。
【００２３】
上部ケース３には、操作パネル３０の後部側（図１における奥側）にスキャナ部２０が設けられている。スキャナ部２０は、ＦＢＳ（Ｆｌａｔｂｅｄ  Ｓｃａｎｎｅｒ）として機能する原稿読取台２０１に対して、自動原稿搬送機構（ＡＤＦ：Ａｕｔｏ  Ｄｏｃｕｍｅｎｔ  Ｆｅｅｄｅｒ）２０２を有する原稿カバー体２０３が、背面側の蝶番（図示せず）を介して開閉自在に取り付けられて構成されている。なお、図示しないが、原稿読取台２０１の上面にはプラテンガラスが配設されており、原稿読取台２０１の内部には画像読取ユニットが内蔵されている。
【００２４】
一方、本体ケース２には、プリンタ部２１が設けられている。プリンタ部２１は、スキャナ部２０で読み取られた画像データや、外部から入力された画像データに基づいて、選択的にインク滴を吐出することによって、記録用紙上に画像を記録する所謂インクジェット方式の画像記録装置（インクジェット記録装置）である。なお、上記インクジェット方式はプリンタ部２１による画像記録方式の単なる一例であり、電子写真方式や熱転写方式などの種々の画像記録装置を採用することができる。
【００２５】
ＭＦＰ１の正面側、即ち、プリンタ部２１の正面側には開口５が形成されている。この開口５内には、その底部に複数枚の記録用紙を堆積状態で載置する給紙カセット２１１が配置され、この給紙カセット２１１は、本体ケース２の開口５に対して引き出し可能に構成されている。また、給紙カセット２１１の上方には、画像が記録された記録用紙が排紙される排紙トレイ２１２が設けられている。
【００２６】
本体ケース２の内部（プリンタ部２１の内部）には、給紙カセット２１１の奥側から上方へ延びた後に正面側へＵ字状に湾曲して排紙トレイ２１２へ連結される用紙搬送経路が設けられている。また、本体ケース２の内部（プリンタ部２１の内部）には、給紙カセット２１１の奥側から１枚の記録用紙を取り出して用紙搬送経路へ供給する給紙ユニット（図示せず）と、用紙搬送経路中に配置され、かかる用紙搬送経路上を搬送される記録用紙の表面にインク滴を吐出して画像を記録するインクジェット方式のプリンタヘッド（図示せず）が設けられている。
【００２７】
また、本体ケース２の左側壁２ａには、送受話器２４（図３参照）とその送受話器２４を待機時に指示する受け部（図示せず）とが配されており、子機３１（図３参照）、又は電話回線網１００（図３参照）を介した外部装置（図示せず）との通話が可能となっている。
【００２８】
本体ケース２の後部側の右側縁部には無線通信ユニット８１が装着されている。この通信ユニット８１は合成樹脂製のケーシング８２を備え、その内部には、デジタルコードレス通信制御部２６（図３参照）を含む通信基板（図示せず）が収容されている。詳細は後述するが、デジタルコードレス通信制御部２６は、親機であるＭＦＰ１の送受話器２４（図３参照）と、ＭＦＰ１から離れた位置に配置された他の送受話器である子機３１（図３参照）との間を無線接続するものであって、ケーシング８２から突出する送受信用のコードレス用アンテナ２７を有している。
【００２９】
このように、本実施形態のＭＦＰ１には、親機であるＭＦＰ１に直付けの送受話器２４（図３参照）と、デジタルコードレスの子機３１（図３参照）に無線接続する無線通信ユニット８１とが設けられており、用途に応じて、送受話器２４又は子機３１を選択的に使用でき、更には、送受話器２４と子機３１と間において通話もできるように構成されている。
【００３０】
さらに、本体ケース２における４つのコーナ部のうち、デジタルコードレス通信制御部２６を含む通信基板を収容する無線通信ユニット８１が装着されているコーナ部２Ｂと、かかるコーナ部２Ｂの対角に位置するコーナ部２Ａには、無線ＬＡＮ通信制御部１８（図３参照）を含む無線ユニット基板（無線ＬＡＮボード）６０や、ＭＦＰ１に含まれる各装置の駆動を電気的に制御するための主回路基板（図示せず）が配されている。
【００３１】
本実施形態のＭＦＰ１では、このように、主回路基板（図示せず）や無線ＬＡＮ通信制御部１８（図３参照）を含む無線ユニット基板６０と、デジタルコードレス通信制御部２６（図３参照）を含む通信基板（図示せず）を収容する無線通信ユニット８１とを離間させて配置することで、無線ＬＡＮ通信制御部１８（図３参照）を含む無線ユニット基板６０や、デジタルコードレス通信制御部２６（図３参照）を含む通信基板（図示せず）や、主回路基板（図示せず）にノイズがのり難い構成としている。
【００３２】
ここで、図２は、上述した無線ユニット基板（無線ＬＡＮボード）６０の正面図である。図２に示すように、無線ＬＡＮ通信制御部１８（図３参照）を含む無線ユニット基板６０は、ガラス・エポキシ材からなる基板６０ａの片面（表面）に回路モジュール６０ｂを搭載し、この回路モジュール６０ｂの一部に設けたコネクタ６０ｃに配線のためのハーネス６０ｄを着脱可能に接続する。
【００３３】
また、図２に示すように、基板６０ａの表面には、回路モジュール６０ｂに近接してその一側にメインアンテナ部６０ｅと、上側にサブアンテナ部６０ｆとがそれぞれ形成されている。なお、これらのメインアンテナ部６０ｅとサブアンテナ部６０ｆとが無線ＬＡＮ用アンテナ１９（図３参照）を構成し、かかる無線ＬＡＮ用アンテナ１９（即ち、アンテナ部６０ｅ，６０ｆ）を介して、無線ＬＡＮ通信制御部１８（図３参照）とアクセスポイント５１（図３参照）とが無線接続される。
【００３４】
ところで、ノイズの障害源としては、主として、デジタルコードレス通信制御部２６（図３参照）を含む通信基板（図示せず）及び電源基板（図示せず）が挙げられる。そのうち、デジタルコードレス通信制御部２６を含む通信基板にはコードレス用アンテナ２７が接続されており、かかるコードレス用アンテナ２７では強い電波による送受信が行われるため、特に強いノイズ源となり得る。
【００３５】
しかし、本実施形態のＭＦＰ１では、本体ケース２における前側の左コーナ部２Ａに無線ユニット基板６０を配置する一方で、デジタルコードレス通信制御部２６を含む通信基板を、コーナ部２Ａとは対角をなす位置、即ち、本体ケース２における後部の右コーナ部２Ｂに配置している。このように、本実施形態のＭＦＰ１では、同一筐体（本体ケース２）内において、無線ユニット基板６０が、デジタルコードレス通信制御部２６を含む通信基板と可能な限り離間されているので、かかる無線ユニット基板６０が、デジタルコードレス通信制御部２６を含む通信基板の影響を受け難く、ノイズ対策として有効である。
【００３６】
次に、図３を参照して説明する。図３は、上述したＭＦＰ１及び子機３１の電気的構成を示すブロック図である。なお、子機３１もまた、ＭＦＰ１と同様に、本発明における一実施形態の通信装置である。また、ＭＦＰ１と子機３１とにより、本発明における一実施形態の通信システムが構成される。
【００３７】
図３に示すように、ＭＦＰ１は、ＣＰＵ１１、ＲＯＭ１２、ＲＡＭ１３、フラッシュメモリ１４、上述した操作部１５、上述した表示部１６、スピーカ部１７、無線ＬＡＮ通信制御部１８、無線ＬＡＮ用アンテナ１９、スキャナ部２０、プリンタ部２１、モデム２２、回線制御部２３、送受話器２４、計時回路２５、及びデジタルコードレス通信制御部２６を主に有しており、これらはバスライン２８を介して互いに接続されている。
【００３８】
ＣＰＵ１１は、ＲＯＭ１２やＲＡＭ１３やフラッシュメモリ１４に記憶される固定値やプログラムに従って、或いは、無線ＬＡＮ通信制御部１８や回線制御部２３やデジタルコードレス通信制御部２６を介して送受信される各種信号に従って、バスライン２８により接続された各部を制御する演算装置である。
【００３９】
ＲＯＭ１２は、このＭＦＰ１で実行される各種の制御プログラムを記憶する領域である制御プログラム領域１２ａが設けられた書換不能なメモリである。制御プログラム領域１２ａには、例えば、後述する図４，６（ａ）のフローチャートに示す処理を実行するプログラムが記憶されている。
【００４０】
ＲＡＭ１３は、各種のデータを一時的に記憶するための書換可能なメモリである。このＲＡＭ１３には、第１から第ｎまでのｎ個のマルチ受信フラグ（第１マルチ受信フラグ１３ａ１〜第ｎマルチ受信フラグ１３ａｎ）と、第１から第ｎまでのｎ個のマルチ送信フラグ（第１マルチ送信フラグ１３ｂ１〜第ｎマルチ送信フラグ１３ｂｎ）とが設けられている。
【００４１】
第１マルチ受信フラグ１３ａ１〜第ｎマルチ受信フラグ１３ａｎは、ＭＦＰ１がデジタルコードレス電話として子機３１と周波数ホッピング方式によって無線通信する際に使用する複数のチャンネル（周波数チャンネル）の各々に対してそれぞれ割り当てられたフラグである。
【００４２】
各マルチ受信フラグ１３ａ１〜１３ａｎは、対応するチャンネルに対し子機３１から送信されるデータの送信回数、即ち、対応するチャンネルにおいて子機３１から受信するデータの受信回数が１回に設定されているか、２回に設定されているかを示すフラグであり、受信回数が１回に設定されている場合にはオフとされ、受信回数が２回に設定されている場合にはオンとされる。
【００４３】
例えば、第１マルチ受信フラグ１３ａ１がオンである場合には、この第１マルチ受信フラグ１３ａ１に対応付けられたチャンネルにおけるデータの受信回数が２回に設定されていることを示し、一方、第２マルチ受信フラグ１３ａ２がオフである場合には、この第２マルチ受信フラグ１３ａ２に対応付けられたチャンネルにおけるデータの受信回数が１回に設定されていることを示す。
【００４４】
なお、各マルチ受信フラグ１３ａ１〜１３ａｎは、ＭＦＰ１への電源投入に伴いオフに初期化され、後述する所定時間毎（例えば、１０ｓ）に繰り返される通信回数設定処理（図４参照）により、後述するビット誤り率（ＢＥＲ：Ｂｉｔ  Ｅｒｒｏｒ  Ｒａｔｅ）の大きさに応じてオンとオフとが適宜設定される。
【００４５】
第１マルチ送信フラグ１３ｂ１〜第ｎマルチ送信フラグ１３ｂｎは、ＭＦＰ１がデジタルコードレス電話として子機３１と周波数ホッピング方式によって無線通信する際に使用する複数のチャンネル（周波数チャンネル）の各々に対してそれぞれ割り当てられたフラグである。
【００４６】
各マルチ送信フラグ１３ｂ１〜１３ｂｎは、対応するチャンネルに対し子機３１へ送信するデータの送信回数が１回に設定されているか２回に設定されているかを示すフラグであり、子機３１へのデータの送信回数が１回に設定されている場合にはオフとされ、送信回数が２回に設定されている場合にはオンとされる。
【００４７】
例えば、第１マルチ送信フラグ１３ｂ１がオンである場合には、この第１マルチ送信フラグ１３ｂ１に対応付けられたチャンネルにおける子機３１へのデータの送信回数が２回に設定されていることを示し、一方、第２マルチ送信フラグ１３ｂ２がオフである場合には、この第２マルチ送信フラグ１３ｂ２に対応付けられたチャンネルにおける子機３１へのデータの送信回数が１回に設定されていることを示す。
【００４８】
なお、各マルチ送信フラグ１３ｂ１〜１３ｂｎは、ＭＦＰ１への電源投入に伴いオフに初期化され、後述する所定時間毎（例えば、１０ｓ）に繰り返される通信回数設定処理（図４参照）により、ＢＥＲの大きさに応じてオンとオフとが適宜設定される。
【００４９】
フラッシュメモリ１４は書換可能な不揮発性のメモリであり、このフラッシュメモリ１４に記憶されたデータは、ＭＦＰ１の電源オフ後も保持される。また、スピーカ部１７は、状況に応じた各種音声（例えば、操作部１５の操作音やエラー発生時の注意音、着信の呼出音など）を出力するものであり、かかる音声の放音によってユーザに状況を報知する。
【００５０】
スキャナ部２０は、ＣＰＵ１１からの指示に基づいて、原稿読取台２０１にセットされた原稿から画像の読み取りを行うと共に、その画像を表示部１６に表示したりプリンタ部２１で印刷可能な画像データを生成するものである。このスキャナ部２０により読み取られた画像データは、ＭＦＰ１がＦＡＸモードやスキャナモードやコピーモードに設定されている場合には、ＲＡＭ１３における所定の記憶領域に格納される。プリンタ部２１は、ＣＰＵ１１からの指示に基づいて、給紙カセット２１１内の記録用紙への印刷を行うものである。
【００５１】
モデム２２は、ＣＰＵ１１からの指示に基づいて、ＲＡＭ１３に記憶される送信データを電話回線網１００に伝送可能な画像信号に変調し、回線制御部２３を介して送信したり、電話回線網１００から回線制御部２３を介して入力された画像信号を受信し、表示部１６に表示したりプリンタ部２１で印刷可能な画像データに復調するものである。回線制御部２３は、電話回線網１００と接続されており、電話回線網１００へのダイヤル信号の送出や、電話回線網１００からの呼出信号の応答などの制御を行うものである。
【００５２】
送受話器２４は、子機３１、又は電話回線網１００を介して接続された外部装置（図示せず）と通話を行うための装置であり、音声を音声信号に変換して回路制御部２３へ出力するマイクロフォン（図示せず）と、回路制御部２３から入力された音声信号を音声に変換して外部へ出力（放音）するスピーカ（図示せず）とを有している。
【００５３】
この送受話器２４は、ＭＦＰ１から取り外す操作（オフフック操作）が行われた際には、回線制御部２３またはデジタルコードレス通信制御部２６と電気的に接続される。また、送受話器２４をＭＦＰ１の本体部に戻す操作（オンフック操作）が行われた際には、送受話器２４と回線制御部２３やデジタルコードレス通信制御部２６との接続が解除される。また、計時回路２５は、現在の日時を刻む内部時計を有しており、計時を開始した日時と現在の日時とを比較して所要時間を算出する既知の回路である。
【００５４】
デジタルコードレス通信制御部２６は、上述した通信基板（図示せず）の一部であり、コードレス用アンテナ２７が接続されている。送受話器２４のオフフック操作などにより、送受話器２４とデジタルコードレス通信制御部２６とが接続された結果、ＭＦＰ１と子機３１とが無線通信により接続される。
【００５５】
なお、本実施形態では、ＭＦＰ１と子機３１との間を接続する無線通信の通信方式には、周波数ホッピング方式が用いられ、２，４ＧＨｚ帯の広帯域（２４０２〜２４８０ＭＨｚ）の中に１ＭＨｚごと，７９個のチャネルを設定しており，１秒間に１００回のチャネル切替を行いながら無線通信が行われる。
【００５６】
送受話器２４からデジタルコードレス通信制御部２６に音声信号が送信されると、無線通信用のデジタル信号に変換され子機３１へ送信（出力）される。一方で、子機３１から送信された無線通信用のデジタル信号が受信されると、音声信号に変換されて送受話器２４に出力される。
【００５７】
デジタルコードレス通信制御部２６は、ＢＥＲ検出回路２６ａを有している。ＢＥＲ検出回路２６ａは、通信品質を評価するためのパラメータの一つであるビット誤り率（ＢＥＲ：Ｂｉｔ  Ｅｒｒｏｒ  Ｒａｔｅ）を検出する回路である。このＢＥＲ値が低い程、通信品質は良好であることを示している。本実施形態では、各周波数チャンネル毎に、このＢＥＲを検出し、その検出結果が、例えば、１／１０００以上である周波数チャンネルの場合には、干渉チャンネルとして、データを２回送信し、それ以外の周波数チャンネルはデータを１回送信するように設定する。尚、このビット誤り率に代えて、パケット誤り率、シグナル／ノイズ率を用いて、通信品質を評価するようにしても良い。
【００５８】
また、デジタルコードレス通信制御部２６は、子機３１との周波数ホッピング方式による無線通信を実現するホッピングパターンテーブルやホッピングカウンタやクロックなどの周波数ホッピング制御部（図示せず）を有している。
【００５９】
無線ＬＡＮ通信制御部１８は、上述した無線ユニット基板６０の一部であり、無線ＬＡＮ用アンテナ１９（メインアンテナ部６０ｅとサブアンテナ部６０ｆ）が接続されている。無線ＬＡＮ通信制御部１８は、かかる無線ＬＡＮ用アンテナ１９を介して、無線ＬＡＮ機器であるアクセスポイント５１に無線接続される。その結果、ＭＦＰ１は、アクセスポイント５１に無線接続された無線ＬＡＮ機器６１，６２とデータ通信を行うことができる。
【００６０】
また、無線ＬＡＮ通信制御部１８は、無線ＬＡＮ用アンテナ１９を介して、アクセスポイント５１に無線接続され、かかるアクセスポイント５１を介してＬＡＮ２００に接続される。その結果、ＭＦＰ１は、ＬＡＮ２００に接続される外部装置（図示せず）とデータ通信を行うことができる。
【００６１】
なお、アクセスポイント５１は、通信装置として既知の無線ＬＡＮ機器であり、ＭＦＰ１や無線ＬＡＮ端末６１，６２などの複数の無線ＬＡＮ機器と無線接続され、これらの無線ＬＡＮ機器をＬＡＮ２００へ接続するための中継器である。
【００６２】
一方、子機３１は、図３に示すように、ＣＰＵ３２、ＲＯＭ３３、ＲＡＭ３４、フラッシュメモリ３５、操作部３６、表示部３７、送受話器３８、及びデジタルコードレス通信制御部３９を主に有し、これらはバスライン４０を介して互いに接続されている。
【００６３】
ＣＰＵ３２は、ＲＯＭ３３やＲＡＭ３４やフラッシュメモリ３５に記憶される固定値やプログラムに従って、或いは、デジタルコードレス通信制御部３９を介して送受信される各種信号に従って、バスライン４０により接続された各部を制御する演算装置である。
【００６４】
ＲＯＭ３３は、この子機３１で実行される各種の制御プログラムを記憶する領域である制御プログラム領域３３ａが設けられた書換不能なメモリである。制御プログラム領域３３ａには、例えば、後述する図５，６（ｂ）のフローチャートに示す処理を実行するプログラムが記憶されている。
【００６５】
ＲＡＭ３４は各種のデータを一時的に記憶するための書換可能なメモリである。このＲＡＭ３４には、第１から第ｎまでのｎ個のマルチ受信フラグ（第１マルチ受信フラグ３４ａ１〜第ｎマルチ受信フラグ３４ａｎ）と、第１から第ｎまでのｎ個のマルチ送信フラグ（第１マルチ送信フラグ３４ｂ１〜第ｎマルチ送信フラグ３４ｂｎ）とが設けられている。
【００６６】
第１マルチ受信フラグ３４ａ１〜第ｎマルチ受信フラグ３４ａｎは、デジタルコードレス電話として機能する子機３１がＭＦＰ１と周波数ホッピング方式によって無線通信する際に使用する複数のチャンネル（周波数チャンネル）の各々に対してそれぞれ割り当てられたフラグである。
【００６７】
各マルチ受信フラグ３４ａ１〜３４ａｎは、対応するチャンネルに対しＭＦＰ１から送信されるデータの送信回数、即ち、対応するチャンネルにおいてＭＦＰ１から受信するデータの受信回数が１回に設定されているか２回に設定されているかを示すフラグであり、受信回数が１回に設定されている場合にはオフとされ、受信回数が２回に設定されている場合にはオンとされる。
【００６８】
例えば、第１マルチ受信フラグ３４ａ１がオンである場合には、この第１マルチ受信フラグ３４ａ１に対応付けられたチャンネルにおけるデータの受信回数が２回に設定されていることを示し、一方、第２マルチ受信フラグ３４ａ２がオフである場合には、この第２マルチ受信フラグ３４ａ２に対応付けられたチャンネルにおけるデータの受信回数が１回に設定されていることを示す。
【００６９】
なお、各マルチ受信フラグ３４ａ１〜３４ａｎは、子機３１への電源投入に伴いオフに初期化され、相手側装置であるＭＦＰ１からの要求に応じてオンとオフとが適宜設定される。
【００７０】
第１マルチ送信フラグ３４ｂ１〜第ｎマルチ送信フラグ３４ｂｎは、デジタルコードレス電話として機能する子機３１がＭＦＰ１と周波数ホッピング方式によって無線通信する際に使用する複数のチャンネル（周波数チャンネル）の各々に対してそれぞれ割り当てられたフラグである。
【００７１】
各マルチ送信フラグ３４ｂ１〜３４ｂｎは、対応するチャンネルに対しＭＦＰ１へ送信するデータの送信回数が１回に設定されているか２回に設定されているかを示すフラグであり、ＭＦＰ１へのデータの送信回数が１回に設定されている場合にはオフとされ、送信回数が２回に設定されている場合にはオンとされる。
【００７２】
例えば、第１マルチ送信フラグ３４ｂ１がオンである場合には、この第１マルチ送信フラグ３４ｂ１に対応付けられたチャンネルにおけるＭＦＰ１へのデータの送信回数が２回に設定されていることを示し、一方、第２マルチ送信フラグ３４ｂ２がオフである場合には、この第２マルチ送信フラグ３４ｂ２に対応付けられたチャンネルにおけるＭＦＰ１へのデータの送信回数が１回に設定されていることを示す。
【００７３】
なお、各マルチ送信フラグ３４ｂ１〜３４ｂｎは、ＭＦＰ１への電源投入に伴いオフに初期化され、相手側装置であるＭＦＰ１からの要求に応じてオンとオフとが適宜設定される。
【００７４】
フラッシュメモリ３５は書換可能な不揮発性のメモリであり、このフラッシュメモリ３５に記憶されたデータは、子機３１の電源オフ後も保持される。操作部３６は、子機３１を管理したり、ＭＦＰ１や、そのＭＦＰ及び電話回線網１００を介して接続された外部装置（図示せず）との通話を行う場合に使用するものであり、例えば、数字ボタン（テンキー）や通話ボタンや機能操作ボタン等から構成される。表示部３７は、子機３１を管理したり、ＭＦＰ１や外部装置との通話を行う場合に、操作部３６により入力された電話番号や、通話中の各種情報を表示するものであり、例えば、ＬＣＤ等の表示装置で構成される。
【００７５】
送受話回路３８は、ＭＦＰ１、又は電話回線網１００を介して接続された外部装置（図示せず）と通話を行うための装置であり、マイクロフォン（図示せず）とスピーカ（図示せず）とが接続されている。マイクロフォン（図示せず）は、音声を音声信号に変換して送受話回路３８へ入力し、スピーカ（図示せず）は、送受話回路３８から入力された音声信号を音声に変換して外部へ出力（放音）すると共に、状況に応じた各種音声（例えば、操作部３６の操作音やエラー発生時の注意音、着信の呼出音など）を出力（放音）する。
【００７６】
この送受話回路３８は、操作部３６の操作により通話開始操作が行われた際には、送受話回路３８は、デジタルコードレス通信制御部３９と接続される。また、操作部３６により通話終了操作が行われた際には、デジタルコードレス通信制御部３９との接続が解除される。
【００７７】
デジタルコードレス通信制御部３９には、コードレス用アンテナ４７が接続されている。操作部３６の通話開始操作などにより、送受話回路３８とデジタルコードレス通信制御部３９とが接続された結果、子機３１とＭＦＰ１とが無線通信により接続される。なお、上述したように、本実施形態では、ＭＦＰ１と子機３１との間を接続する無線通信は、周波数ホッピング方式の無線通信である。
【００７８】
送受話回路３８からデジタルコードレス通信制御部３９に音声信号が送信されると、無線通信用のデジタル信号に変換されＭＦＰ１へ送信（出力）される。一方で、ＭＦＰ１から送信された無線通信用のデジタル信号が受信されると、音声信号に変換されて送受話回路３８に出力される。
【００７９】
デジタルコードレス通信制御部３９は、ＭＦＰ１との周波数ホッピング方式による無線通信を実現するホッピングパターンテーブルやホッピングカウンタやクロックなどの周波数ホッピング制御部（図示せず）を有している。
【００８０】
図４は、ＭＦＰで実行される通信回数設定処理を示すフローチャートである。図４に示す通信回数設定処理は、全周波数チャンネル（７９個）の各周波数チャンネルについて子機３１と無線通信する場合の同じデータに関する通信回数を設定する処理である。
【００８１】
この処理では、まず、無線通信に使用される第１番〜第Ｎ番（全７９チャンネル）までの各チャンネルのうち、ＢＥＲを検出する検出対象チャンネルを、第１番のチャンネルに設定するために、チャンネルカウンタｎの値を「１」に設定する（Ｓ４１）。
【００８２】
次に、７９個の全チャンネルの各々についてＢＥＲの検出が終了したかを判断し、即ち、チャンネルカウンタｎの値が「Ｎ」かを判断し（Ｓ４１）、チャンネルカウンタｎの値が「Ｎ」でなければ（Ｓ４１：Ｎｏ）、ＢＥＲの検出対象チャンネルに対するテスト信号送信要求を子機３１に送信する（Ｓ４２）。
【００８３】
次に、子機３１から送信される検出対象チャンネルに対するテスト信号に基づいて、検出対象チャンネルに対するＢＥＲを測定する（Ｓ４３）。そして、その測定結果が基準値以上（例えば、１／１０００以上）かを判断し（Ｓ４４）、基準値以上であれば（Ｓ４４：Ｙｅｓ）、子機３１に対してチャンネルｎに対するマルチスロット通信要求を送信すると共に（Ｓ４５）、検出対象チャンネルに対するマルチ送受信フラグ（マルチ送信フラグおよびマルチ受信フラグ）をオンにする（Ｓ４６）。
【００８４】
即ち、この検出対象チャンネルは、ＢＥＲが基準値以上であり、通信品質が基準よりも劣るとして、この検出対象チャンネルを使用して子機３１と無線通信する場合には、同じ一つのデータを２回送受信するように設定するのである。
【００８５】
こうして、検出対象チャンネルについてＢＥＲの検出が終了すると、次のチャンネルについてＢＥＲを検出するために、チャンネルカウンタｎに「１」を加算し（Ｓ４７）、Ｓ４１からの処理を繰り返す。
【００８６】
一方、Ｓ４４において、検出対象チャンネルのＢＥＲ値が基準値以上でなければ（Ｓ４４：Ｙｅｓ）、子機３１に対して検出対象チャンネルに対するシングルスロット通信要求を送信すると共に（Ｓ４８）、検出対象チャンネルに対するマルチ送受信フラグをオフにして（Ｓ４９）、Ｓ４７の処理に移行する。
【００８７】
即ち、この検出対象チャンネルは、ＢＥＲが基準値未満であり、通信品質が基準よりも良好であるとして、この検出対象チャンネルを使用して子機３１と無線通信する場合には、同じ一つのデータを１回送受信するように設定するのである。こうして、全チャンネル７９個の各チャンネルについてＢＥＲの検出が終了すると、換言すれば、チャンネルカウンタｎの値が「Ｎ」になると（Ｓ４１：Ｙｅｓ）、本処理を終了する。
【００８８】
図５は、子機３１で実行される通信回数設定処理を示すフローチャートである。この処理は、親機から送信されるマルチスロット通信要求あるいはシングルスロット通信要求に応じて、子機３１のマルチ送受信フラグ（マルチ送信フラグおよびマルチ受信フラグ）のオン、オフを設定する処理である。
【００８９】
この処理では、まず、相手側装置であるＭＦＰ１からマルチスロット通信要求を受信したかを確認し（Ｓ５１）、ＭＰＦ１からマルチスロット通信要求を受信した場合には（Ｓ５１：Ｙｅｓ）、自装置における現在のチャンネルに対応するマルチ送受信フラグをオンし（Ｓ５２）、本処理を終了する。
【００９０】
一方、Ｓ５１において、ＭＰＦ１からマルチスロット送信要求を受信していないと判断した場合には（Ｓ５１：Ｎｏ）、相手側装置であるＭＦＰ１からシングルスロット通信要求を受信したかを確認し（Ｓ５３）、ＭＰＦ１からシングルスロット通信要求を受信した場合には（Ｓ５３：Ｙｅｓ）、自装置における現在のチャンネルに対するマルチ送受信フラグをオフし（Ｓ５４）、本処理を終了する。尚、Ｓ５３の処理において、ＭＰＦ１からシングルスロット通信要求を受信していないと判断した場合には（Ｓ５３：Ｎｏ）、本処理を終了する。
【００９１】
こうして、ＭＰＦ１で設定した通信回数と同じ通信回数を対応する各チャンネルについて子機３１においても設定することができ、ＭＰＦ１と子機３１との間で無線通信する場合の通信品質を良好な状態にすることができる。
【００９２】
図６（ａ）は、ＭＦＰ１と子機３１との無線通信におけるＭＦＰ１の通信処理であるＭＦＰ側通信処理を示すフローチャートであり、図６（ｂ）は、ＭＦＰ１と子機３１との無線通信における子機３１の通信処理である子機側通信処理を示すフローチャートである。  なお、本実施形態のＭＦＰ１と子機３１との間の無線通信は、周波数ホッピング方式で行われており、図６（ａ）のフローチャートが示すＭＦＰ側通信処理と、図６（ｂ）のフローチャートが示す子機側通信処理とは互いに同期されているものとする。
【００９３】
図６（ａ）のフローチャートが示すＭＦＰ側通信処理は、主にデジタルコードレス通信制御部２６により行われる処理であり、ＭＦＰ１から子機３１への接続要求に応答して、子機３１からＭＦＰ１への通信開始要求があった場合、又は、子機３１からＭＦＰ１への接続要求に応答して、ＭＦＰ１から３１１への通信開始要求があった場合に起動する処理である。
【００９４】
なお、ＭＦＰ１（又は子機３１）から子機３１（又はＭＦＰ１）への接続要求とは、ユーザによりＭＦＰ１（又は子機３１）がオフフック状態とされ、操作部１５（又は操作部３６）に設けられた子機３１（又はＭＦＰ１）との通話開始ボタンが押下されることである。また、子機３１（又はＭＦＰ１）からＭＦＰ１（又は子機３１）への通信開始要求とは、ユーザにより子機３１（又はＭＦＰ１）がオフフック状態とされ、操作部３６（又は操作部１５）に設けられたＭＦＰ１（又は子機３１）との通話開始ボタンが押下されることである。
【００９５】
このＭＦＰ側通信処理では、まず、通信処理を開始する（Ｓ６１）。Ｓ６１の処理により通信処理が開始されると、周波数ホッピング方式による無線通信の初期設定を行い、送受話器２４から入力されたアナログ音声信号をデジタル音声データに変換してＲＡＭ１３内に設けられた送信バッファ（図示せず）へ逐次記録することを開始し、子機３１から受信したデジタル音声データをＲＡＭ１３内に設けられた受信バッファ（図示せず）へ逐次記録することを開始する。
【００９６】
Ｓ６１の処理後、現在のチャンネルに対するマルチ送信フラグ（第１マルチ送信フラグ１３ｂ１〜第ｎマルチ送信フラグ１３ｂｎのいずれか）がオンであるかを確認し（Ｓ６２）、オンであれば（Ｓ６２：Ｙｅｓ）、送信バッファ（図示せず）から対応する音声データを子機３１へ２回送信する（Ｓ６３）。
【００９７】
一方、Ｓ６２の処理により確認した結果、現在のチャンネルに対するマルチ送信フラグ（第１マルチ送信フラグ１３ｂ１〜第ｎマルチ送信フラグ１３ｂｎのいずれか）がオフであれば（Ｓ６２：Ｎｏ）、送信バッファ（図示せず）から対応する音声データを子機３１へ１回送信する（Ｓ６８）。
【００９８】
Ｓ６３又はＳ６８の処理後、現在のチャンネルに対するマルチ受信フラグ（第１マルチ受信フラグ１３ａ１〜第ｎマルチ受信フラグ１３ａｎのいずれか）がオンであるかを確認し（Ｓ６４）、オンであれば（Ｓ６４：Ｙｅｓ）、受信バッファ（図示せず）に記憶される子機３１からの２回分の対応するチャンネルの音声データのうち、誤りのない音声データをアナログ音声信号に変換して送受話器２４から出力する（Ｓ６５）。
【００９９】
一方、Ｓ６４の処理により確認した結果、現在のチャンネルに対するマルチ受信フラグ（第１マルチ受信フラグ１３ａ１〜第ｎマルチ送信フラグ１３ａｎのいずれか）がオフであれば（Ｓ６４：Ｎｏ）、受信バッファ（図示せず）に記憶される子機３１からの１回分の対応するチャンネルの音声データを受信し、アナログ音声信号に変換して送受話器２４から出力する（Ｓ６９）。
【０１００】
Ｓ６５又はＳ６９の処理後、子機３１との通信が終了したかを確認し（Ｓ６６）、子機３１との通信が終了していなければ（Ｓ６６：Ｎｏ）、通信するチャンネルを更新し（Ｓ６７）、Ｓ６２の処理へ移行する。一方で、Ｓ６６の処理により確認した結果、子機３１との通信が終了した場合には、（Ｓ６６：Ｙｅｓ）、待機状態へ移行する。
【０１０１】
一方、図８（ｂ）のフローチャートが示す子機側通信処理は、主にデジタルコードレス通信制御部３９により行われる処理であり、上述したＭＦＰ側通信処理と同様に、ＭＦＰ１から子機３１への接続要求に応答して、子機３１からＭＦＰ１への通信開始要求があった場合、又は、子機３１からＭＦＰ１への接続要求に応答して、ＭＦＰ１から３１１への通信開始要求があった場合に起動する処理である。
【０１０２】
この子機側通信処理では、まず、通信処理を開始する（Ｓ７１）。Ｓ７１の処理により通信処理が開始されると、周波数ホッピング方式による無線通信の初期設定を行い、送受話回路３８に接続されたマイクロフォンから入力されたアナログ音声信号をデジタル音声データに変換してＲＡＭ３４内に設けられた送信バッファ（図示せず）へ逐次記録することを開始し、ＭＦＰ１から受信したデジタル音声データをＲＡＭ３４内に設けられた受信バッファ（図示せず）へ逐次記録することを開始する。
【０１０３】
Ｓ７１の処理後、現在のチャンネルに対するマルチ受信フラグ（第１マルチ受信フラグ３４ａ１〜第ｎマルチ受信フラグ３４ａｎのいずれか）がオンであるかを確認し（Ｓ７２）、オンであれば（Ｓ７２：Ｙｅｓ）、受信バッファ（図示せず）に記憶されるＭＦＰ１からの２回分の対応するチャンネルの音声データのうち、誤りのない音声データを、アナログ音声信号に変換して、送受話回路３８に接続されたスピーカから出力する（Ｓ７３）。
【０１０４】
一方、Ｓ７２の処理により確認した結果、現在のチャンネルに対するマルチ受信フラグ（第１マルチ受信フラグ３４ａ１〜第ｎマルチ送信フラグ３４ａｎのいずれか）がオフであれば（Ｓ７２：Ｎｏ）、受信バッファ（図示せず）に記憶されるＭＦＰ１からの１回分の対応するチャンネルの音声データを受信し、アナログ音声信号に変換して送受話回路３８に接続されたスピーカから出力する（Ｓ７８）。
【０１０５】
Ｓ７３又はＳ７８の処理後、現在のチャンネルに対するマルチ送信フラグ（第１マルチ送信フラグ３４ｂ１〜第ｎマルチ送信フラグ３４ｂｎのいずれか）がオンであるかを確認し（Ｓ７４）、オンであれば（Ｓ７４：Ｙｅｓ）、送信バッファ（図示せず）から対応する音声データをＭＦＰ１へ２回送信する（Ｓ７５）。
【０１０６】
一方、Ｓ７４の処理により確認した結果、現在のチャンネルに対するマルチ送信フラグ（第１マルチ送信フラグ３４ｂ１〜第ｎマルチ送信フラグ３４ｂｎのいずれか）がオフであれば（Ｓ７４：Ｎｏ）、送信バッファ（図示せず）から対応する音声データをＭＦＰ１へ１回送信する（Ｓ７９）。
【０１０７】
Ｓ７５又はＳ７９の処理後、ＭＦＰ１との通信が終了したかを確認し（Ｓ７６）、ＭＦＰ１との通信が終了していなければ（Ｓ７６：Ｎｏ）、通信するチャンネルを更新し（Ｓ７７）、Ｓ７２の処理へ移行する。一方で、Ｓ７６の処理により確認した結果、ＭＦＰ１との通信が終了した場合には、（Ｓ７６：Ｙｅｓ）、待機状態へ移行する。
【０１０８】
上述したように、ＭＦＰ１のマルチ受信フラグ（第１マルチ受信フラグ１３ａ１〜第ｎマルチ受信フラグ１３ａｎ）及びマルチ送信フラグ（第１マルチ送信フラグ１３ｂ１〜第ｎマルチ送信フラグ１３ｂｎ）、ならびに、子機３１のマルチ受信フラグ（第１マルチ受信フラグ３４ａ１〜第ｎマルチ受信フラグ３４ａｎ）及びマルチ送信フラグ（第１マルチ送信フラグ３４ｂ１〜第ｎマルチ送信フラグ３４ｂｎ）は、各周波数チャンネル毎に検出したＢＥＲに基づいて、そのオン、オフが設定されており、それに従って、通信品質が所定の基準を満足する周波数チャンネルを使用する場合には、同じデータは１回だけ送受信され、通信品質が所定の基準を満足しない周波数チャンネルを使用する場合には、同じデータは２回送受信され、誤りのないデータの方が出力される。よって、使用可能な全チャンネル数（７９個）を減少させることなく、良好な通信品質を維持することができる。
【０１０９】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１１０】
上記実施形態では、ＢＥＲの基準値を１／１０００という１つだけ設定する場合について説明したが、この基準値を複数設け、例えば、１／１００以上であれば同じデータの送受信回数を５回、１／１００未満１／５００以上であれば３回、１／５００未満１／０００以上であれば２回というように、通信品質が好ましくない程、同じデータの送受信回数が増えるように制御しても良い。この場合には、より良好な通信品質を維持することができる。
【０１１１】
また、上記実施形態では、通信回数設定処理をＭＦＰで実施し、その結果を子機３１に反映させる場合について説明したが、これとは反対に、図４のフローチャートで説明した通信回数設定処理を子機３１で実施し、その結果をＭＦＰ１に反映させるようにしても良い。
【０１１２】
また、音声データを無線通信する通信装置として、デジタルコードレス電話の親機（ＭＦＰ１）及び子機３１を例示したが、トランシーバーのような無線機に対しても適用可能である。
【０１１３】
また、上記実施形態では、音声データを無線通信するデジタルコードレス電話の親機（ＭＦＰ１）及び子機３１の送信回数を変更することを例示したが、デジタルコードレス電話による無線通信を行う通信装置（ＭＦＰ１や子機３１）に限定されるものではなく、例えば、無線ＬＡＮ通信など、他の通信方式による無線通信を行う通信装置に対しても適用可能である。
【０１１４】
また、上記実施形態では、ＭＦＰ１と無線ＬＡＮ通信する装置としてアクセスポイント５１を例示したが、アクセスポイント５１以外に無線ＬＡＮ用プリンタなどの無線ＬＡＮによる無線通信が可能な機器（無線ＬＡＮ機器）を適用できる。
【図面の簡単な説明】
【０１１５】
【図１】本発明における一実施形態の通信装置を含むＭＦＰの外観図である。
【図２】無線ユニット基板（無線ＬＡＮボード）の正面図である。
【図３】ＭＦＰ及び子機の電気的構成を示すブロック図である。
【図４】ＭＦＰで実行される通信回数設定処理を示すフローチャートである。
【図５】子機で実行される通信回数設定処理を示すフローチャートである。
【図６】（ａ）ＭＦＰ側通信処理を示すフローチャートであり、（ｂ）は、子機側通信処理を示すフローチャートである。
【符号の説明】
【０１１６】
１                    ＭＦＰ（通信装置、第１の相手側装置、通信システムの一部）
１３ａ１〜１３ａｎ    第１〜第ｎマルチ送信フラグ（設定手段）
１８                  無線ＬＡＮ通信制御部（第２の通信手段）
２６                  デジタルコードレス通信制御部（第１の通信手段）
２６ａ                ＢＥＲ検出回路（検出手段）
３１                  子機（通信装置、第１の相手側装置、通信システムの一部）
３４ａ１〜３４ａｎ    第１〜第ｎマルチ送信フラグ（設定手段）
３９                  デジタルコードレス通信制御部（第１の通信手段）
５１                  アクセスポイント（第２の相手側装置）
【図１】
2008219193.tif 000003
【図２】
2008219193.tif 000004
【図３】
2008219193.tif 000005
【図４】
2008219193.tif 000006
【図５】
2008219193.tif 000007
【図６】
2008219193.tif 000008